(57)【特許請求の範囲】
【請求項１】
天板、左脚板および右脚板を有する机と、
前記机の天板の奥辺を載せて連結することのできる水平板を有する自立型本棚と、
前記机および自立型本棚に対して適用可能な補助板と、
を含む本棚付机であって、
前記補助板は、前記天板と等しい厚みおよび幅で、その奥行長さは所定の長さをしており、
前記補助板は、前記机の天板の奥辺を前記本棚の水平板に連結した組合わせ使用状態においては、前記机の左脚板および右脚板の奥側下方に掛け渡すように固定されていて、
前記補助板は、前記机と本棚とを分離して使用する際には、前記机の天板の奥辺に、天板を奥側へ拡げるための拡張板として連結するか、または、前記本棚の前記水平板の上に乗せて固定するよう選択的に２つの用途に利用可能にされていることを特徴とする、補助板を備えた本棚付机。
【請求項２】
前記自立型本棚は、下段本棚および少なくとも上段本棚が上下に積み重ねられた上下少なくとも二段の本棚を含み、前記水平板は、前記下段本棚の上面板で形成されていることを特徴とする、請求項１記載の補助板を備えた本棚付机。
【発明の詳細な説明】
【技術分野】
【０００１】
この発明は、本棚付机に関し、特に、学習机および自立型本棚を有する本棚付机に関する。
【背景技術】
【０００２】
本棚付学習机としては、学習机の天板上に本棚が配置され、当該本棚が学習机と連結されたものが知られている（例えば、特許文献１参照）。
また、特許文献２、３には、独立して使用可能な自立型本棚と学習机とを組み合わせた本棚付学習机が開示されている。このような本棚付学習机としては、本棚の一対の側板間に学習机の天板を配置するものがある。
【０００３】
さらに、特許文献４には、天板上の作業スペースを十分に確保することができる本棚付机および机と本棚の組み合わせ構造が開示されている。
【先行技術文献】
【特許文献】
【０００４】
【特許文献１】特許３５７７９５５号公報
【特許文献２】実公昭６２−４１６３７号公報
【特許文献３】実開昭６０−２７７３０号公報
【特許文献４】特許第４４５７１０３号公報
【発明の概要】
【発明が解決しようとする課題】
【０００５】
本棚付机は、通常、使用環境や使用年齢に合わせて、本棚と机との組み合わせを種々変更して使いたいという要望を満たす必要がある。
この発明は、このような要望に応えるためになされたものであり、机と本棚とを組み合わせて使用する際にも、机と本棚とを分離して使用する際にも、使用者の要求に沿った種々の態様で利用することのできるように改良された本棚付机を提供することを主たる目的とする。
【課題を解決するための手段】
【０００６】
請求項１記載の発明は、天板、左脚板および右脚板を有する机と、前記机の天板の奥辺を載せて連結することのできる水平板を有する自立型本棚と、前記机および自立型本棚に対して適用可能な補助板と、を含む本棚付机であって、前記補助板は、前記天板と等しい厚みおよび幅で、その奥行長さは所定の長さをしており、前記補助板は、前記机の天板の奥辺を前記本棚の水平板に連結した組合わせ使用状態においては、前記机の左脚板および右脚板の奥側下方に掛け渡すように固定されていて、前記補助板は、前記机と本棚とを分離して使用する際には、前記机の天板の奥辺に、天板を奥側へ拡げるための拡張板として連結するか、または、前記本棚の前記水平板の上に乗せて固定するよう選択的に２つの用途に利用可能にされていることを特徴とする、補助板を備えた本棚付机である。
【０００７】
請求項２記載の発明は、前記自立型本棚は、下段本棚および少なくとも上段本棚が上下に積み重ねられた上下少なくとも二段の本棚を含み、前記水平板は、前記下段本棚の上面板で形成されていることを特徴とする、請求項１記載の補助板を備えた本棚付机である。
【発明の効果】
【０００８】
この発明によれば、机の天板の奥辺を自立型本棚に連結して使用する際には、天板の奥辺と自立型本棚とを確実に固定して、安定性良く使用することができる。
一方、机と本棚とを分離して使用する際には、補助板を活用して、机の天板の奥行を拡げるか、または、自立型本棚の中板を前方へ突出させるように拡げて、机または本棚を使い易い態様で使用することができる。
【０００９】
補助板は、机の天板の側辺を本棚と組み合わせて使用する態様において、机の天板の奥行を拡げるように取り付けた状態で使用することもできる。よって、机の左辺または右辺に自立型本棚を連結した状態で使用する際には、奥行の広い天板を有する机として利用することもできる。
補助板が２枚備えられた構成とすれば、机と本棚とを分離して使用する際に、本棚の中板を拡げられるとともに、机の天板の奥行を拡げることもでき、一層使用態様を拡げられる。
補助板は、それを使用しない場合は、机の奥側下方に固定しておればよく、邪魔にはならない。
【図面の簡単な説明】
【００１０】
【図１】図１は、この発明の一実施形態に係る補助板を備えた本棚付机３０の右側面図である。
【図２】図２は、机１と本棚２とを分離して使用する際における机１の右側面図である。
【図３】図３は、机１の天板２を下方から見た図である。
【図４】図４は、連結ピン２１およびカム２２を説明する図である。
【図５】図５は、補助金具２４を説明する図である。
【図６】図６は、机１と本棚１０とを分離して使用する際に、補助板２０を本棚１０の上面板１８に乗せて固定する仕方を説明するための図である。
【図７】図７は、補助板２０を本棚に適用した図である。
【発明を実施するための形態】
【００１１】
以下には、図面を参照して、この発明の実施形態について具体的に説明をする。
図１は、この発明の一実施形態に係る補助板を備えた本棚付机３０の右側面図である。
図１を参照して、本棚付机３０は、机１および本棚１０を有する。机１は、天板２および左右の脚板３，４を有する。机１の構成としては、天板１および左右脚板３，４を備えていればよく、一般的な机は全てこの発明の対象となり得る。図１においては、左右の脚板３，４は奥行方向（図１において左右方向）に所定の幅を有する１枚の板により構成されているが、これに限られるものではない。脚板３，４は、たとえば手前側（図１において左側）と奥側（図１において右側）と分離された脚を構成する板または棒体を有する机であってもよい。
【００１２】
机１は、その天板２の奥辺２ｂが、左右の脚板３，４の奥辺３ｂ，４ｂよりも一定寸法奥側へ突出している。
本棚１０は、いわゆる自立型本棚であり、それ自体が立設した状態で利用され得る。本棚１０は、下段本棚１１、上段第１本棚１２および上段第２本棚１３の上下に三段の本棚が用いられている。上下三段の本棚に代えて、上下二段の本棚とすることもできる。下段本棚１１の上面は上面板１８で区画されている。また、上段第１本棚１２は、下面板（底板）１４  を有し、底板１４の上に上段第１本棚１２を構成する左右側板１５，１５がそれぞれ立設された構成となっている。
【００１３】
上段第１本棚１２の底板１４は、図１に示すように、前方側（図１において左側）がやや奥側へ引っ込むように、その前後方向寸法が側板１５の前後方向寸法よりも短くされている。
このため、上段第１本棚１２が下段本棚１１の上面板１８上に載せられて組み合わされた状態において、下段本棚１１の上面板１８の前方側には前後方向に僅かの棚部１８ｆが生じる。
【００１４】
この棚部１８ｆ上、すなわち下段本棚１１の上面板１８の前辺１７上に、机１の天板２の奥辺２ｂが上に乗るように組み合わされている。そして、この状態において、上面板１８の前辺１７の下方側（棚部１８ｆの下方側）から天板２の奥側部に向かって連結ボルト（図示せず）が連結されている。
図１に示すように、本棚１０（下段本棚１１）の前縁１１ｆと机１の左右の脚板３，４の奥辺３ｂ，４ｂとの間には隙間５が形成されている。そして、この隙間５は、補助板２０の厚み以上である。そこで、この隙間５を利用して、左右の脚板３，４の奥辺３ｂ，４ｂの下方に掛け渡すように、補助板２０が取り付けられている。補助板２０の左右脚板３，４の奥辺３ｂ，４ｂへの取り付けは、たとえばボルトにより実現されている。
【００１５】
図２は、机１と本棚１０とを分離して使用する際における机１の右側面図である。机１と本棚１０とを分離して使用する際には、机１の天板２の奥辺２ｂに、天板２を奥側へ拡げるための拡張板として補助板２０を取り付けることができる。
すなわち、机１を本棚１０から分離した後、机１の左右の脚板３，４の奥辺３ｂ，４ｂの下方に固定されている補助板２０を取り外し、この補助板２０を天板２の奥辺２ｂに天板２が面一に奥側へ延びるように連結することができる。
【００１６】
図３は、机１の天板２を下方から見た図である。図３において、２は天板、３は左脚板、４は右脚板、２０は補助板である。
天板２の奥辺２ｂへの補助板２０の取り付けには、連結ピン２１およびカム２２（図４参照）が用いられる。ピン２１の根元のねじ部２３は天板２の奥辺２ｂ（奥縁面）に埋設形成されたねじ溝に螺合される。ピン２１の先端部２４は天板２の奥辺２ｂから奥側（後方）へ突出した状態となる。そしてここに補助板２０の前方縁面が当接される。（図３を参照）補助板２０の前方縁面には孔が開けられ、その孔内にはカム２２が埋設されている。ピン２１の先端２４がカム２２と嵌合され、カム２２が回動されることにより、天板２の奥側に補助板２０が連結される。
【００１７】
さらに、補助金具２５により、天板２と補助板２０との連結が補強される。補助金具２５の具体的形態は、図５に示す通りである。図５（Ａ）は平面図、（Ｂ）は正面図、（Ｃ）は右側面図である。図５に示すように、補助金具２５は、長手金属板の長手方向両側縁が補強用に曲成された断面門形の金属板で、その長さ方向一方側に丸孔２６、長さ方向他方側に長孔２７があけられている。
【００１８】
補強金具２５の長孔２７に対応して、天板２の奥側下面に前後方向に形成された２つのねじ孔が備えられている。また、補強金具２５の丸孔２６に対応して、補助板２０の下面には１つのねじ孔が備えられている。これら３つのねじ孔を利用して、補強金具２５が天板２および補強板２０の各下面側に橋渡されるように配置されて固定され、天板２に対する補強板２０の結合を補強している。
【００１９】
なお、図３において、補助板２０の下面に設けられた左右両端部の孔２８は、補助板２０を左右の脚板３，４に固定する際に用いる孔である。また、当該孔２８の内側に形成された孔２９は、補助板２０を本棚の上面板１８に取り付ける際に用いる孔である。
また、天板２の奥側裏面において左右両側に設けられた一対の孔９は、天板２を本棚１０の上面板１８に連結する際に使用する孔である。
【００２０】
図６は、机１と本棚１０とを分離して使用する際に、補助板２０を本棚１０の上面板１８に乗せて固定する仕方を説明するための図である。
図６を参照して、下段本棚１１には、上面板１８が備えられている。上面板１８は、左右側板１５の上端内側をつなぐように連結されており、下段本棚１１の上面を区画している。上段第１本棚１２の左右側板１５の下方には底板１４が備えられており、上段第１本棚１２はこの底板１４によって下面が区画されている。そして底板１４は、その前後方向寸法が前方側がやや奥側へ入り込むように短くされているので、底板１４が下段本棚１１の上面板１８に乗せられた組み合わせ状態において、上面板１８の前方側に奥行方向に短手の棚部１８ｆが生じている。この棚部１８ｆには、その左右方向に一対の孔１９があけられている。棚部１８ｆに補助板２０が乗せられ、孔１９を介して下方から補助板２０が棚部１８ｆ上、すなわち上面板１３の前方側に固定される。
【００２１】
これにより、図７に示すように、本棚１０は、上下方向中央部分の水平板、すなわち上面板１８がやや前方へ張り出す状態となり、本棚１０の使い勝手が向上する。
以上のように、この実施形態によれば、補助板２０を、選択的に２つの用途に利用することができる。また、本棚付机３０は、机１の天板２と本棚１０の上面板１８とを連結して使用する組み合わせ使用態様において、補助板２０が邪魔になることはなく、本棚付机を利用することができる。
【００２２】
さらに、机１と本棚１０とを分離して使用する際には、補助板２０を天板の奥側へ拡げるための拡張板として使用することができ、または、本棚の上下方向中央部の水平板（上面板）１８を前方に拡げるような態様で使用することができる。従って、使用用途に合わせて種々の態様で利用することができる、汎用性および利便性の向上した本棚付机とすることができる。
【００２３】
この発明は、以上説明した実施形態に限定されるものではなく、請求項記載の範囲内において種々の変更が可能である。
【符号の説明】
【００２４】
１    机
２    天板
３、４    脚板
１０    本棚
１１    下段本棚
１２    上段第１本棚
１３    上段第２本棚
１４    底板
１５    側板
１７    前辺
１８    上面板
１８ｆ    棚部
２０    補助板
２１    連結ピン
２２    カム
２５    補助金具
【図１】
0006418593.tif 000002
【図２】
0006418593.tif 000003
【図３】
0006418593.tif 000004
【図４】
0006418593.tif 000005
【図５】
0006418593.tif 000006
【図６】
0006418593.tif 000007
【図７】
0006418593.tif 000008